(57)【要約】【課題】有機ＥＬ表示装置を駆動するときの消費電力を低減させる。また、有機ＥＬ表示装置を駆動する際に発生する雑音を低減させる。【解決手段】コモン電極ドライバは、選択行のコモン電極の電位をローレベルに設定する。セグメント電極ドライバは、発光させる画素が存在する列のセグメント電極に定電流を流す。このセグメント電極の電位はハイレベルになる。また、セグメント電極ドライバは、発光させる画素が存在しない列のセグメント電極の電位をローレベルに設定する。コモン電極ドライバは、少なくとも一本のセグメント電極がローレベルの電位に設定されるときには、選択されていない各コモン電極をハイインピーダンス状態に設定する。【選択図】図５
2007094010.tif 000002
【特許請求の範囲】
【請求項１】
交差するように配置された複数のコモン電極と複数のセグメント電極とを備え、前記複数のコモン電極と前記複数のセグメント電極との間に有機薄膜が配置された有機ＥＬ表示装置の駆動装置であって、
コモン電極を順次選択してコモン電極の走査を行うコモン電極ドライバを備え、
前記コモン電極ドライバは、選択されていないコモン電極をハイインピーダンス状態にする
ことを特徴とする有機ＥＬ表示装置の駆動装置。
【請求項２】
コモン電極の選択期間中に、選択されたコモン電極に配置された有機薄膜のうち、発光させる有機薄膜に対応するセグメント電極に定電流を流し、発光させない有機薄膜に対応するセグメント電極の電位を所定の電位に設定するセグメント電極ドライバを備え、
コモン電極ドライバは、選択したコモン電極の選択期間中であって、少なくとも一本のセグメント電極の電位が前記所定の電位に設定される期間中、選択されていないコモン電極をハイインピーダンス状態にする
請求項１に記載の有機ＥＬ表示装置の駆動装置。
【請求項３】
コモン電極ドライバは、一のコモン電極の選択期間終了時から次のコモン電極の選択期間開始時まで、各コモン電極の電位を等電位に設定し、
セグメント電極ドライバは、一のコモン電極の選択期間終了時から次のコモン電極の選択期間開始時まで、各セグメント電極の電位を、各コモン電極の電位と等電位に設定する
請求項２に記載の有機ＥＬ表示装置の駆動装置。
【発明の詳細な説明】
【技術分野】
【０００１】
本発明は、有機エレクトロルミネッセンス発光素子（以下、有機ＥＬ素子という。）を用いた有機ＥＬ表示装置の駆動装置に関する。
【背景技術】
【０００２】
マトリクス電極の各画素部に有機ＥＬ素子をそれぞれ配置した構造の有機ＥＬ表示装置（有機ＥＬパネル）が実現されている。有機ＥＬパネルでは、例えば、ガラス基板等の基板上に、陽極に接続されるかまたは陽極そのものを形成するＩＴＯ等の透明導電膜を用いた複数の陽極配線が例えば縦方向に配置され、それに直交する方向に、陰極に接続するかまたは陰極そのものを形成する金属を用いた複数の陰極配線が例えば横方向に配置される。陽極配線と陰極配線の交点が画素となり、両配線間に有機薄膜（有機ＥＬ素子）が挟持される。このように、基板上に、有機ＥＬ素子によって構成された画素がマトリクス状に平面配置される。
【０００３】
有機ＥＬ素子は、半導体発光ダイオードに似た特性を有している。すなわち、陽極側を高電圧側とし、所定の電圧を両電極間に印加して有機ＥＬ素子に電流を供給すると発光する。具体的には、陽極側の電位と陰極側の電位との差が発光開始電圧以上になると、有機ＥＬ素子に電流が流れ始める。逆に、陰極側を高電位にした場合には微小な電流しか流れず発光しない。なお、この場合、有機ＥＬ素子の陰極側からは、有機ＥＬ素子が有する寄生容量を充電する微小な電流が流れる。
【０００４】
有機ＥＬパネルを単純マトリクス駆動法で駆動することができる。駆動を行う際に、有機ＥＬパネルの陽極配線および陰極配線を、走査電極（コモン電極）またはデータ電極（セグメント電極）のいずれにも設定できる。つまり、陽極配線をコモン電極とし、陰極配線をセグメント電極とするか、または陽極配線をセグメント電極とし、陰極配線をコモン電極として使用できる。以下、陰極配線をコモン電極とし、陽極配線をセグメント電極とする場合を例にする。
【０００５】
各セグメント電極は、各セグメント電極に対応する定電流回路を備えたセグメント電極ドライバに接続される。また、各コモン電極は、コモン電極ドライバに接続される。セグメント電極ドライバおよびコモン電極ドライバは、コントローラの制御に従って、有機ＥＬパネルを駆動する。
【０００６】
図７は、従来の駆動装置によってコモン電極およびセグメント電極に設定される電位の駆動波形を示す説明図である。図７に示すＣＯＭ０〜ＣＯＭｎは、それぞれ第０行から第ｎ行までの各コモン電極の電位を示している。各コモン電極の電位は、ハイレベルまたはローレベルのいずれかに設定される。なお、図７では、ハイレベルを“Ｈ”、ローレベルを“Ｌ”と表記している。図７に示すように、各コモン電極は、順次選択され、選択されたコモン電極は、選択されている期間（選択期間）中、ローレベルに設定される。一本のコモン電極の選択期間中、他のコモン電極の電位はハイレベルに設定される。そして、図７に示すように、各コモン電極が順次選択されることにより、コモン電極の走査が行われる。このようなコモン電極の走査は、コントローラに従ってコモン電極ドライバが行う。
【０００７】
また、図７に示すＳＥＧａは、複数のセグメント電極のうちの任意の一つの電位を示している。あるコモン電極が選択されているとき、その選択期間中にオン（点灯）とすべき画素が存在する列のセグメント電極には定電流回路から定電流が流され、そのセグメント電極の電位はハイレベルになる。また、あるコモン電極が選択されているとき、その選択期間中にオフ（非点灯）とすべき画素が存在する列のセグメント電極は、セグメント電極ドライバによってローレベルに設定される。
【０００８】
また、中間調の色（例えば、グレー）で画素を表示する場合、その画素が存在する列の定電流回路は、その列のセグメント電極に対して、選択期間の一部においてのみ定電流を流す。この結果、選択期間の一部のみで画素が発光し、例えばグレーのような中間調の色として観察されることになる。図７に示す例では、第１行および第ｎ行の選択期間内の一部の期間において、セグメント電極に定電流を流している場合を示している。図７に示す第１行や第ｎ行の選択期間に示すように、この場合、セグメント電極の電位は選択期間の一部においてハイレベルとなり、その選択期間内の残りの期間ではローレベルに設定される。
【０００９】
なお、コモン電極に設定されるローレベルの電位と、セグメント電極に設定されるローレベルの電位は、共通の電位であることが多く、特にローレベルの電位として接地電位（０Ｖ）が用いられることが多い。なお、コモン電極に設定されるローレベルの電位と、セグメント電極に設定されるローレベルの電位とが等電位でない場合であっても、その電位差は、セグメント電極とコモン電極との間に電流の流れが生じない範囲に収められる。
【００１０】
また、コモン電極に設定されるハイレベルの電位と、定電流が流されたときのセグメント電極のハイレベルの電位とは、等電位であるとは限らない。ただし、その電位差は、セグメント電極とコモン電極との間に電流の流れが生じない範囲に収められる。
【００１１】
また、図７に示す駆動波形では、選択期間と選択期間の間で、各コモン電極および各セグメント電極の電位をともにローレベルとして、等電位にしている。このように選択期間と選択期間の間で、各コモン電極および各セグメント電極を等電位とする駆動方法は、例えば、特許文献１に記載されている。
【００１２】
また、ドライブライン（ドライブスイッチ）をハイインピーダンスに切り替えることがある有機ＥＬ表示装置の駆動方法が特許文献２に記載されている。
【００１３】
【特許文献１】特開平９−２３２０７４号公報（段落００１８−００３４）
【特許文献２】特開２００５−７７６５６号公報（段落００４０）
【発明の開示】
【発明が解決しようとする課題】
【００１４】
図７に例示するような駆動波形で有機ＥＬ表示装置を駆動したときのセグメント電極とコモン電極間の電流の流れについて説明する。まず、セグメント電極と、選択されたコモン電極との間の電流の流れについて説明する。コモン電極は選択期間中ローレベルに設定され、そのコモン電極の選択期間中に発光させるべき画素が存在する列では、定電流回路が定電流を流す。そして、その定電流は、セグメント電極、有機ＥＬ素子、および選択されたコモン電極を介して、コモン電極ドライバに流される。中間調を表示すべき画素が存在する列においても、選択期間内における定電流を流す期間では、同様に定電流が流される。
【００１５】
また、コモン電極が選択されているときに非点灯とすべき画素が存在する列のセグメント電極は、セグメント電極ドライバによって、ローレベルに設定される。すなわち、選択されたコモン電極と同様に、ローレベルに設定される。よって、そのセグメント電極と、選択されたコモン電極との間での電流の流れは生じない。中間調を表示すべき画素が存在する列においても、選択期間内における定電流を流さない期間では、同様に、その列のセグメント電極と選択されたコモン電極との間での電流の流れは生じない。
【００１６】
次に、セグメント電極と、選択されていないコモン電極（非選択のコモン電極）との電流の流れについて説明する。非選択のコモン電極の電位は、ハイレベルに設定される。また、選択されたコモン電極の選択期間中に発光させるべき画素が存在する列では、定電流回路が定電流を流し、その列のセグメント電極はハイレベルになる。この場合、コモン電極とセグメント電極の電位は、いずれもハイレベルとなり、コモン電極とセグメント電極との間に電流は流れない。中間調を表示すべき画素が存在する列においても、選択期間内における定電流を流す期間では、同様に、その列のセグメント電極と非選択のコモン電極との間での電流の流れは生じない。
【００１７】
また、選択されたコモン電極の選択期間中に非点灯とすべき画素が存在する列のセグメント電極は、ローレベルに設定される。非選択のコモン電極の電位はハイレベルなので、非選択のコモン電極の方が、非点灯とすべき画素が存在する列のセグメント電極より高電位となる。従って、非選択のコモン電極から、そのセグメント電極に電流（有機ＥＬ素子が有する寄生容量を充電する微小な電流）が流れることになる。中間調を表示すべき画素が存在する列においても、選択期間内における定電流を流さない期間では、同様に、非選択のコモン電極からその列のセグメント電極に電流が流れる。図７では、このような電流が流れる期間を期間Ｔとして示している。
【００１８】
上記のような非選択のコモン電極からセグメント電極に流れる電流は、画像表示には寄与しない電流である。よって、このような電流が流れることにより消費電力が増加してしまうことになる。特に、非点灯とすべき画素が存在する列が多くなれば、非選択のコモン電極から流れる電流量も多くなり、消費電力もより増加してしまうことになる。
【００１９】
また、電源回路の電圧出力端には、出力電圧安定化のためにコンデンサが設けられている。このコンデンサが原因となり、有機ＥＬ表示装置を駆動する際に、音（雑音）が発生してしまうという問題があった。図８は、この音の発生の原因を説明する説明図である。図８（ａ）は、セグメント電極ドライバからコモン電極ドライバに定電流を流している状態を示し、図８（ｂ）は、非選択のコモン電極からセグメント電極に電流が流れている状態を示している。なお、有機ＥＬパネルは複数の有機ＥＬ素子を有するが、図８（ａ），（ｂ）では、説明を簡単にするため、有機ＥＬパネル１０１が有する有機ＥＬ素子として一つの有機ＥＬ素子１０２のみを図示している。同様に、セグメント電極ドライバは、複数の定電流回路を備えているが、図８（ａ），（ｂ）では、セグメント電極ドライバ１１１が備える定電流回路として、有機ＥＬ素子１０２が配置された列に対応する一つの定電流回路１１２のみを図示している。また、同様に、セグメント電極ドライバ１１１、コモン電極ドライバ１２１は、それぞれ複数のスイッチを備えているが、図８（ａ），（ｂ）では、セグメント電極ドライバ１１１が備えるスイッチとして一つのスイッチ１１３のみを図示し、コモン電極ドライバ１２１が備えるスイッチとして一つのスイッチ１２２のみを図示している。
【００２０】
図８（ａ），（ｂ）において、コンデンサ１４１は、コモン電極に設定されるハイレベルの電圧（ＶＣＨとする。）の出力安定化のために、電源回路（図８において図示せず。）の電圧ＶＣＨ出力端に設けられたコンデンサである。また、コンデンサ１３１は、定電流回路１１２を動作させるため（すなわち、定電流回路１１２に定電流を流させるため）の電圧（ＶＣＣとする。）の出力安定化のために、電源回路の電圧ＶＣＣ出力端に設けられたコンデンサである。コンデンサ１３１，１４１として、積層セラミックコンデンサが用いられる。
【００２１】
定電流回路１１２が、セグメント電極（図示せず。）、有機ＥＬ素子１０２、およびコモン電極（図示せず。）を介してコモン電極ドライバ１２１に定電流を流す場合、図８（ａ）に示すように、スイッチ１１３は、定電流回路１１２から有機ＥＬ素子１０２に定電流を流すように設定される。また、スイッチ１２２は、選択されたコモン電極の電位がローレベル（本例では接地電位）になるように設定される。この結果、定電流回路１１２から定電流が流される。このとき、電圧ＶＣＨ出力端は、選択されていない各コモン電極（図示せず。）に接続され、図８（ａ）に示す破線の方向に流れる電流が発生し、コンデンサ１４１は充電される。
【００２２】
一方、コモン電極を非選択にするときには、図８（ａ）に示すように、スイッチ１２２は、そのコモン電極を電圧ＶＣＨの出力端側に接続させる。また、このとき、選択行上の画素のうち非点灯とすべき画素が存在する列のセグメント電極は、スイッチ１１３によってローレベル（本例では接地電位）に設定される（図８（ｂ）参照。）。この結果、充電されていたコンデンサ１４１から、図８（ａ）に示す破線の方向に電流が流される。
【００２３】
図８（ａ）に示す状態と、図８（ｂ）に示す状態とが繰り返されると、コンデンサ１４１は、極性の異なる電圧が繰り返し印加され、充電と放電とを繰り返すことになる。すると、コンデンサ１４１が僅かに変位（変形）することを繰り返す。その結果、コンデンサ１４１が実装されているプリント基板等（図示せず。）を揺らし、音（雑音）が発生することになる。
【００２４】
図９は、コンデンサ１３１，１４１として用いられる積層セラミックコンデンサの説明図である。図９（ａ）は、積層セラミックコンデンサの斜視図である。ただし、積層セラミックコンデンサの一部を切り取り、内部の状態も示している。積層セラミックコンデンサは、図９（ａ）に示すように、外部電極５１と、セラミック誘導体５２とを備える。セラミック誘導体５２は、１０〜２０μｍの厚さのセラミックシートに内部電極５３を印刷したものを積層した構成になっている。
【００２５】
図９（ｂ）は、積層セラミックコンデンサの断面図であり、図９（ｃ）は、積層セラミックコンデンサが変位（変形）している状況を示す説明図である。セラミック誘導体５２の材料は、電圧が印加されると僅かに伸縮するという圧電素子特性を有する。従って、充電と放電を繰り返すような逆極性の電圧が繰り返し印加されると、積層セラミックコンデンサは図９（ｃ）に示すような変形を繰り返す。すると、上述のように、積層セラミックコンデンサが実装されているプリント基板等を揺らし、雑音が生じる。
【００２６】
特に、中間調の表示を行うときには、図８（ａ）に示す状態と、図８（ｂ）に示す状態とが繰り返されることが多いので、雑音の発生が目立つ。
【００２７】
そこで、本発明は、消費電力を低減することができる有機ＥＬ表示装置の駆動装置を提供することを目的とする。また、有機ＥＬ表示装置を駆動したときに生じる雑音を低減することができる有機ＥＬ表示装置の駆動装置を提供することを目的とする。
【課題を解決するための手段】
【００２８】
本発明の態様１は、交差するように配置された複数のコモン電極と複数のセグメント電極とを備え、複数のコモン電極と複数のセグメント電極との間に有機薄膜が配置された有機ＥＬ表示装置の駆動装置であって、コモン電極を順次選択してコモン電極の走査を行うコモン電極ドライバを備え、コモン電極ドライバが、選択されていないコモン電極をハイインピーダンス状態にすることを特徴とする有機ＥＬ表示装置の駆動装置を提供する。
【００２９】
本発明の態様２は、態様１において、コモン電極の選択期間中に、選択されたコモン電極に配置された有機薄膜のうち、発光させる有機薄膜に対応するセグメント電極に定電流を流し、発光させない有機薄膜に対応するセグメント電極の電位を所定の電位に設定するセグメント電極ドライバを備え、コモン電極ドライバが、選択したコモン電極の選択期間中であって、少なくとも一本のセグメント電極の電位が所定の電位に設定される期間中、選択されていないコモン電極をハイインピーダンス状態にする有機ＥＬ表示装置の駆動装置を提供する。
【００３０】
本発明の態様３は、態様２において、コモン電極ドライバが、一のコモン電極の選択期間終了時から次のコモン電極の選択期間開始時まで、各コモン電極の電位を等電位に設定し、セグメント電極ドライバが、一のコモン電極の選択期間終了時から次のコモン電極の選択期間開始時まで、各セグメント電極の電位を、各コモン電極の電位と等電位に設定する有機ＥＬ表示装置の駆動装置を提供する。
【発明の効果】
【００３１】
本発明によれば、コモン電極ドライバが、選択されていないコモン電極をハイインピーダンス状態にするので、選択されていないコモン電極から、セグメント電極側に電流が流れるのを防止することができる。その結果、消費電力を低減することができる。また、選択されないコモン電極の電位を設定するための電圧をコモン電極ドライバに供給する電源回路の電圧出力端にコンデンサを設ける場合、そのコンデンサが充電と放電を繰り返さないようにして、コンデンサの伸縮の繰り返しを低減することができる。その結果、有機ＥＬ表示装置の駆動中に生じる雑音を低減することができる。
【発明を実施するための最良の形態】
【００３２】
以下、本発明の実施の形態を図面を参照して説明する。以下の説明においても、陰極配線をコモン電極とし、陽極配線をセグメント電極とする場合を例にする。
【００３３】
図１は、本発明の有機ＥＬ表示装置の駆動装置の構成例を示すブロック図である。有機ＥＬ表示装置（有機ＥＬパネル）１０は、複数のコモン電極（図示せず。）と複数のセグメント電極（図示せず。）とを備える。コモン電極とセグメント電極とは、有機薄膜（有機ＥＬ素子）を挟んで直交するように配置される。コモン電極とセグメント電極との交差部分がそれぞれ画素となる。各画素において、セグメント電極側からコモン電極側に電流が流れることにより、その画素の有機薄膜が発光する。
【００３４】
有機ＥＬパネル１０を駆動する駆動装置は、コントローラ１と、ディスプレイＲＡＭ５と、デコーダ６と、コモン電極ドライバ２と、セグメント電極ドライバ４とを備える。コモン電極ドライバ２は、出力制御回路３を備える。
【００３５】
ディスプレイＲＡＭ５は、有機ＥＬパネル１０に表示させる画像の画像データを記憶する記憶装置である。デコーダ６は、ディスプレイＲＡＭ５が記憶している画像データをデコードし、デコード後の画像データを出力制御回路３およびセグメント電極ドライバ４に入力する。
【００３６】
コントローラ１は、コモン電極ドライバ２と、セグメント電極ドライバ４とを制御することにより、有機ＥＬパネル１０に画像を表示させる。また、コントローラ１は、ディスプレイＲＡＭ５に画像データをデコーダ６に対して出力させる（あるいは、デコーダ６に、ディスプレイＲＡＭ５に記憶された画像データを読み込ませてもよい。）。
【００３７】
コントローラ１は、コモン電極ドライバ２に対して、最初の行からの走査開始を指示する制御信号（ＦＬＭ：ファーストラインマーカ）や、選択期間の開始や終了を指示する制御信号（ＬＰ：ラッチパルス）を出力する。コモン電極ドライバ２は、コントローラ１からＦＬＭが入力された場合、最初の行からの走査を開始する。すなわち、最初のコモン電極から順次コモン電極を選択していく動作を開始する。そして、コモン電極ドライバ２は、コントローラ１からＬＰが入力されたときには、選択するコモン電極を切り替える。
【００３８】
コモン電極ドライバ２は、コントローラ１に従って、個々のコモン電極を一本ずつ順次選択してコモン電極の走査を行う。そして、コモン電極ドライバ２が備える出力制御回路３は、選択したコモン電極の電位をローレベル（例えば接地電位）に設定する。また、コモン電極ドライバ２は、選択されていない各コモン電極（非選択の各コモン電極）をハイレベルの電位に設定するか、またはハイインピーダンス状態に設定する。「ハイインピーダンス状態」は、コモン電極（ここでは非選択のコモン電極）がローレベル電圧の出力端にも、ハイレベル電圧の出力端にも接続されない状態である。選択されていない各コモン電極をハイレベルの電位に設定するか、ハイインピーダンス状態に設定するかは、出力制御回路３によって決定される。
【００３９】
コモン電極ドライバ２は、個々のコモン電極に対応するスイッチ（図１において図示せず。）を各コモン電極毎に備えている。一つのスイッチは、そのスイッチに対応するコモン電極をハイレベル電圧の出力端、またはローレベル電圧の出力端に接続させる。また、この個々のスイッチはそれぞれ、後述するようにｐＭＯＳ（Positive Metal Oxide Semiconductor）とｎＭＯＳ（Negative Metal Oxide Semiconductor）との組み合わせによって実現される。出力制御回路３は、選択されていない各コモン電極に接続されたスイッチ（ｐＭＯＳとｎＭＯＳとの組み合わせによって実現されるスイッチ）を切り替え、選択されていない各コモン電極をハイレベルの電位に設定するか、あるいは、ハイインピーダンス状態に設定する。
【００４０】
出力制御回路３は、選択されていない各コモン電極をハイレベルの電位に設定するか、ハイインピーダンス状態に設定するかを、以下のようにして決定する。出力制御回路３は、選択されるコモン電極上の各有機ＥＬ素子に対応するセグメント電極のうちいずれか一つでも選択期間内でローレベルの電位に設定される場合、選択期間中であって、そのセグメント電極の電位がローレベルに設定されている間、選択されない各コモン電極を全てハイインピーダンス状態に設定する。また、出力制御回路３は、選択されるコモン電極の各有機ＥＬ素子に対応するセグメント電極が全てハイレベルになるときには、その期間中、選択されない各コモン電極の電位を全てハイレベルに設定する。選択されるコモン電極上の各有機ＥＬ素子に対応するセグメント電極のうちいずれか一つでも選択期間内でローレベルの電位に設定されるか否かの判定や、選択されるコモン電極上の各有機ＥＬ素子に対応するセグメント電極が全てハイレベルになるか否かの判定は、デコーダ６によって入力された画像データを参照して行うことができる。
【００４１】
例えば、出力制御回路３は、デコーダ６によって入力された画像データを参照して、選択されるコモン電極上の各有機ＥＬ素子の中にオフ（非点灯）となる有機ＥＬ素子が存在するか否かを判定する。そして、選択されるコモン電極上の各有機ＥＬ素子の中にオフとなる有機ＥＬ素子が存在するならば、その有機ＥＬ素子に対応するセグメント電極の電位は、そのコモン電極の選択期間中、ローレベルに設定されることになる。従って、この場合、出力制御回路３は、選択されない各コモン電極を全てハイインピーダンス状態に設定する。また、選択されるコモン電極上の各有機ＥＬ素子が全てオン（点灯）となるならば、そのコモン電極上の選択期間中、全てのセグメント電極の電位はハイレベルになる。従って、この場合、出力制御回路３は、選択されない各コモン電極を全てハイレベルの電位に設定する。
【００４２】
また、デコーダ６から出力制御回路３に入力された画像データの中に中間調表示を示すデータが含まれていたとする。この場合、中間調で表示される画素に対応するセグメント電極は、選択期間の一部で、定電流が流されハイレベルの電位となり、選択期間の残りの期間でローレベルの電位に設定される。出力制御回路３は、選択期間の一部の期間で少なくとも一本のセグメント電極がローレベルに設定されるならば、その一部の期間中、非選択の各コモン電極を全てハイインピーダンス状態に設定する。また、中間調で表示される画素が存在したとしても、選択期間中であって、全てのセグメント電極が定電流を流されハイレベルとなる期間中は、非選択の各コモン電極を全てハイレベルの電位に設定する。
【００４３】
セグメント電極ドライバ４は、セグメント電極に定電流を流す定電流回路を、各セグメント電極毎に備える。そして、セグメント電極ドライバ４は、コントローラ１および選択行の画像データに従って、コモン電極の選択期間中、発光させるべき画素が存在する列のセグメント電極から、選択行のコモン電極に定電流を流す。すなわち、セグメント電極ドライバ４は、発光させるべき画素が存在する列のセグメント電極から、選択されているコモン電極上の有機ＥＬ素子に定電流を流す。また、セグメント電極ドライバ４は、選択期間中、発光させるべき画素が存在しない列のセグメント電極の電位をローレベル（例えば接地電位）に設定する。
【００４４】
また、セグメント電極ドライバ４は、中間調で表示すべき画素が存在する場合には、選択期間の一部で、その画素が存在する列のセグメント電極から、選択されているコモン電極上の有機ＥＬ素子に定電流を流す。そして、その選択期間内の残りの期間では、そのセグメント電極の電位をローレベルに設定する。
【００４５】
また、コモン電極に設定されるハイレベルの電位と、定電流が流されたときのセグメント電極のハイレベルの電位とは、等電位であるとは限らない。ただし、その電位差は、セグメント電極とコモン電極との間に電流の流れが生じない範囲に収められる。
【００４６】
なお、コモン電極ドライバ２とセグメント電極ドライバ４は、選択期間と選択期間の間で、各コモン電極および各セグメント電極の電位を等電位に設定してもよい。換言すると、コモン電極ドライバ２は、一本のコモン電極の選択期間終了時から次のコモン電極の選択期間開始時まで、各コモン電極の電位を等電位に設定し、セグメント電極ドライバ４は、一本のコモン電極の選択期間終了時から次のコモン電極の選択期間開始時まで、各セグメント電極の電位を、各コモン電極の電位と等電位に設定してもよい。選択期間と選択期間の間で各コモン電極および各セグメント電極を等電位とすることで、有機ＥＬ素子に逆バイアスに蓄積された電荷を放電することができ、発光開始時に充電すべき電荷量を少なくすることができる。その結果、選択期間開始時における有機ＥＬ素子の点灯を高速化することができる。
【００４７】
また、上記のような各コモン電極および各セグメント電極を等電位とする期間を設けずに、一つのコモン電極の選択期間が終了したら直ちに次のコモン電極の選択期間を開始してもよい。
【００４８】
電源回路８は、コモン電極ドライバ２に対してローレベルの電圧およびハイレベルの電圧を出力する。同様に、電源回路８は、セグメント電極ドライバ４に対してローレベルの電圧、および定電流回路を動作させるための電圧（すなわち、定電流回路に定電流を出力させるための電圧）を出力する。
【００４９】
図２は、セグメント電極ドライバが備える定電流回路が定電流を有機ＥＬ素子に流している状態を示す説明図である。また、図３は、セグメント電極ドライバがセグメント電極をローレベル（本例では接地電位）に設定している状態を示す説明図である。なお、有機ＥＬパネル１０（図１参照。）は複数の有機ＥＬ素子を有するが、図２および図３では、有機ＥＬ素子として一つの有機ＥＬ素子１１のみを図示している。同様に、セグメント電極ドライバ４は、各セグメント電極毎に定電流回路を備えているが、図２および図３では、定電流回路として、有機ＥＬ素子１１が配置されたセグメント電極に対応する一つの定電流回路４１のみを示している。また、図２および図３では、セグメント電極の接続端４４とスイッチ４２，４３との組を一組しか図示していないが、セグメント電極ドライバ４は、セグメント電極の接続端およびスイッチの組を、セグメント電極毎に備えている。なお、スイッチ４２は、セグメント電極の接続端４４と定電流回路４１とを接続させるためのスイッチである。スイッチ４３は、セグメント電極の接続端４４とローレベルの電圧の出力端とを接続させるためのスイッチである。
【００５０】
図２および図３において、ｐＭＯＳ３１およびｎＭＯＳ３２の組み合わせは、一本のコモン電極に対応する一つのスイッチとなる。ｐＭＯＳ３１およびｎＭＯＳ３２は互いに接続され、その接続点にコモン電極の接続端３３が接続される。ｐＭＯＳ３１は、電源回路８（図１参照。）のハイレベル電圧の出力端に接続される。ｎＭＯＳ３２は、電源回路８（図１参照。）のローレベル電圧の出力端に接続される。図２および図３では、ｐＭＯＳ３１およびｎＭＯＳ３２の組み合わせを一組しか図示していないが、コモン電極ドライバ２は、ｐＭＯＳ３１およびｎＭＯＳ３２の組み合わせを、コモン電極毎に備えている。同様に、図２および図３では、コモン電極の接続端３３を一つしか図示していないが、コモン電極ドライバはコモン電極の接続端３３を、コモン電極毎に備えている。
【００５１】
出力制御回路３は、各コモン電極に対応するｐＭＯＳおよびｎＭＯＳのゲートに接続されている。出力制御回路３は、ｐＭＯＳおよびｎＭＯＳそれぞれのゲートへの入力を変えることによって、ｐＭＯＳおよびｎＭＯＳによって実現されるスイッチの切り替えを行う。
【００５２】
図２および図３において、出力制御回路３は、ｐＭＯＳ３１およびｎＭＯＳ３２を組み合わせたスイッチにより、コモン電極をローレベル電圧の出力端に接続しているものとする。すなわち、図２および図３では、有機ＥＬ素子１１が選択されたコモン電極に配置された有機ＥＬ素子であるものとする。
【００５３】
定電流回路４１が有機ＥＬ素子１１に定電流を流す場合、図２に示すように、スイッチ４２がセグメント電極の接続端４４と定電流回路４１とを接続させる。また、スイッチ４３は、セグメント電極の接続端４４とローレベル電圧の出力端との接続を断とする。この結果、定電流回路４１から、セグメント電極、有機ＥＬ素子１１、およびコモン電極に定電流が流れ、有機ＥＬ素子１１は発光する。
【００５４】
また、セグメント電極ドライバ４が、セグメント電極の電位をローレベルに設定する場合、図３に示すように、スイッチ４２は、セグメント電極の接続端４４と定電流回路４１との接続を断とする。また、スイッチ４３は、セグメント電極の接続端４４とローレベル電圧の出力端とを接続させる。この結果、有機ＥＬ素子１１が配置されたセグメント電極の電位はローレベルに設定され、有機ＥＬ素子１１には電流が流れず、有機ＥＬ素子１１は発光しない。
【００５５】
図４は、ｐＭＯＳおよびｎＭＯＳを組み合わせたスイッチの説明図である。図４（ａ）は、コモン電極の電位をハイレベルに設定する場合のスイッチの状態を示している。コモン電極の電位をハイレベルに設定する場合、出力制御回路３（図４において図示せず。）は、ｐＭＯＳ３１のゲートへの入力電圧をローレベルとし、ｎＭＯＳ３２のゲートへの入力電圧もローレベルとする。すると、ｐＭＯＳ３１はオンとなる。すなわち、コモン電極と、電源回路８（図１参照。）のハイレベル電圧の出力端とを接続させる。また、ｎＭＯＳ３２はオフとなる。すなわち、コモン電極と、電源回路８（図１参照。）のローレベル電圧の出力端との接続を断とする。この結果、コモン電極の電位はハイレベルに設定される。
【００５６】
図４（ｂ）は、コモン電極の電位をローレベルに設定する場合のスイッチの状態を示している。コモン電極の電位をローレベルに設定する場合、出力制御回路３（図４において図示せず。）は、ｐＭＯＳ３１のゲートへの入力電圧をハイレベルとし、ｎＭＯＳ３２のゲートへの入力電圧もハイレベルとする。すると、ｐＭＯＳ３１はオフとなる。すなわち、コモン電極と、電源回路８（図１参照。）のハイレベル電圧の出力端との接続を断とする。また、ｎＭＯＳ３２はオンとなる。すなわち、コモン電極と、電源回路８（図１参照。）のローレベル電圧の出力端とを接続させる。この結果、コモン電極の電位はローレベルに設定される。
【００５７】
図４（ｃ）は、コモン電極をハイインピーダンス状態に設定する場合のスイッチの状態を示している。コモン電極をハイインピーダンス状態に設定する場合、出力制御回路３（図４において図示せず。）は、ｐＭＯＳ３１のゲートへの入力電圧をハイレベルとし、ｎＭＯＳ３２のゲートへの入力電圧をローレベルとする。すると、ｐＭＯＳ３１はオフとなる。すなわち、コモン電極と、電源回路８（図１参照。）のハイレベル電圧の出力端との接続を断とする。また、ｎＭＯＳ３２もオフとなる。すなわち、コモン電極と、電源回路８（図１参照。）のローレベル電圧の出力端との接続を断とする。この結果、コモン電極は、ハイレベル電圧の出力端にもローレベル電圧の出力端にも接続されず、ハイインピーダンス状態に設定される。
【００５８】
図５は、本発明の駆動装置によってコモン電極およびセグメント電極に設定される電位の駆動波形の例を示す説明図である。図５に示すＣＯＭ０〜ＣＯＭｎは、それぞれ第０行から第ｎ行までの各コモン電極の電位を示している。各コモン電極は、ハイレベルの電位、ローレベルの電位、あるいはハイインピーダンス状態に設定される。図５では、ハイレベルを“Ｈ”、ローレベルを“Ｌ”と表記している。また、図５における斜線は、コモン電極がハイインピーダンス状態に設定されていることを示している。また、図５に示すＳＥＧａは、複数のセグメント電極のうちの任意の一つの電位を示している。
【００５９】
なお、図５では、選択期間と選択期間の間で、コモン電極ドライバ２およびセグメント電極ドライバ４が各コモン電極および各セグメント電極の電位をいずれもローレベルとし、各コモン電極および各セグメント電極を等電位にする場合を示している。
【００６０】
図５に例示する第０行コモン電極の選択期間を参照して、選択されていない各コモン電極の電位がハイレベルに設定される場合について説明する。出力制御回路３は、第０行コモン電極の選択期間中、第０行コモン電極のスイッチを図４（ｂ）に示す状態とし、第０行コモン電極の電位をローレベルに設定する。また、デコーダ６から出力制御回路３に入力された画像データが、第０行の画素は全てオン（点灯）とされることを示していたとする。出力制御回路３は、この画像データを参照し、第０行の選択期間中、全てのセグメント電極に定電流が流され、全てのセグメント電極の電位がハイレベルになると判定する。この場合、出力制御回路３は、選択されていない各コモン電極（すなわち、第０行以外の各コモン電極）のスイッチを図４（ａ）に示す状態とし、選択されていない各コモン電極の電位をハイレベルに設定する。
【００６１】
選択期間中に、全てのセグメント電極の電位がハイレベルになる場合には、このように出力制御回路３が、選択されていない各コモン電極の電位をハイレベルにする。
【００６２】
次に、図５に例示する第２行コモン電極の選択期間を参照して、選択されていない各コモン電極がハイインピーダンス状態に設定される場合について説明する。出力制御回路３は、第２行コモン電極の選択期間中、第２行コモン電極のスイッチを図４（ｂ）に示す状態とし、第２行コモン電極の電位をローレベルに設定する。また、デコーダ６から出力制御回路３に入力された画像データが、第２行の画素のうち、少なくとも一つオフ（非点灯）となる画素が存在することを示していたとする。出力制御回路３は、この画像データを参照し、第２行の選択期間中、少なくとも一つのセグメント電極がローレベルに設定されると判定する。本例では、ＳＥＧａとして示すように、第２行選択期間中にローレベルに設定されるセグメント電極が存在する。この場合、出力制御回路３は、選択されていない各コモン電極（すなわち、第２行以外の各コモン電極）のスイッチを図４（ｃ）に示す状態とし、選択されていない各コモン電極をハイインピーダンス状態に設定する。
【００６３】
あるコモン電極の選択期間全体に渡って、ローレベルに設定されるセグメント電極が少なくとも一本存在する場合には、上述のように出力制御回路３が、選択されていない各コモン電極の電位をハイインピーダンス状態に設定する。
【００６４】
次に、図５に例示する第１行コモン電極の選択期間を参照して、選択期間内の一部において、選択行以外の各コモン電極をハイインピーダンス状態に設定する場合について説明する。出力制御回路３は、第１行コモン電極の選択期間中、第１行コモン電極のスイッチを図４（ｂ）に示す状態とし、第１行コモン電極の電位をローレベルに設定する。また、デコーダ６から出力制御回路３に入力された画像データが、第１行の画素のなかに中間調（例えば、グレー）で表示される画素が存在し、第１行選択期間のうち少なくとも一部の期間において、ローレベルの電位に設定されるセグメント電極が存在することを示していたとする。出力制御回路３は、この画像データを参照し、第１行の選択期間中、全てのセグメント電極がハイレベルになる期間と、一本あるいは複数のセグメント電極がローレベルに設定される期間を判定する。本例では、第１行の選択期間のうち、期間Ｔ１では全てのセグメント電極がハイレベルとなり、期間Ｔ２ではＳＥＧａとして示すように少なくとも一つのセグメント電極がローレベルに設定されるものとする。出力制御回路３は、期間Ｔ１の間は、選択されていない各コモン電極（すなわち、第１行以外の各コモン電極）のスイッチを図４（ａ）に示す状態とし、選択されていない各コモン電極の電位をハイレベルに設定する。また、出力制御回路３は、期間Ｔ２の間は、選択されていない各コモン電極のスイッチを図４（ｃ）に示す状態とし、選択されていない各コモン電極をハイインピーダンス状態に設定する。
【００６５】
このように選択行の画素の中に中間調で表示される画素が存在する場合には、出力制御回路３は、選択期間中であって、全てのセグメント電極がハイレベルになる期間で、非選択の各コモン電極をハイレベルの電位に設定する。そして、選択期間中であって、少なくとも一つのセグメント電極がローレベルに設定される期間で、非選択の各コモン電極をハイインピーダンス状態に設定する。
【００６６】
選択されていないコモン電極がハイインピーダンス状態になると、そのコモン電極から、オフ（非点灯）の画素が存在する列のセグメント電極（すなわち、ローレベルに設定されるセグメント電極）に電流が流れることがない。よって、画像表示に寄与しない電流の発生を防止し、消費電力を低減することができる。
【００６７】
また、本発明のように、少なくとも一本のセグメント電極の電位がローレベルとなるときに、選択されていない各コモン電極をハイインピーダンス状態に設定することにより、従来問題とされていた音（雑音）を低減することができる。図６は、本発明により雑音を低減できる理由を示す説明図である。図６（ａ）は、セグメント電極ドライバからコモン電極ドライバに定電流を流している場合を示し、図６（ｂ）は、コモン電極がハイインピーダンス状態に設定されている場合を示している。なお、図６では、図２および図３で示したスイッチ４２，４３をまとめて、スイッチ４７として図示している。また、図２および図３に示すｐＭＯＳ３１とｎＭＯＳ３２との組み合わせによって実現されるスイッチを、図６では模式的にスイッチ３７として図示している。
【００６８】
図６（ａ），（ｂ）において、コンデンサ８１は、コモン電極ドライバ２に対して出力するハイレベル電圧（ＶＣＨとする。）の出力安定化のために、電源回路８（図６において図示せず。）の電圧ＶＣＨ出力端に設けられたコンデンサである。また、コンデンサ７１は、定電流回路４１を動作させるための電圧（ＶＣＣとする。）の出力安定化のために、電源回路８の電圧ＶＣＣ出力端に設けられたコンデンサである。コンデンサ７１，８１は、積層セラミックコンデンサである。
【００６９】
定電流回路４１が、セグメント電極（図示せず。）、有機ＥＬ素子１１、およびコモン電極（図示せず。）を介してコモン電極ドライバ２に定電流を流す場合、図６（ａ）に示すように、スイッチ４７は、定電流回路４１から有機ＥＬ素子１１に定電流を流すように設定される。また、コモン電極ドライバ２のスイッチ３７は、選択されたコモン電極の電位がローレベルになるように、コモン電極とローレベルの電圧の出力端とを接続させる。この結果、定電流回路から定電流が流される。このとき、電圧ＶＣＨ出力端は、選択されていない各コモン電極（図示せず。）に接続され、図６（ａ）に示す破線の方向に流れる電流が発生し、コンデンサ８１は充電される。この状態は、図８（ａ）に示す状態と同様である。
【００７０】
また、あるコモン電極の選択期間において、少なくとも一つのセグメント電極がローレベルに設定されたとする。すなわち、図６（ｂ）に示すように、少なくとも一つのスイッチ４７が、セグメント電極と、ローレベル電圧の出力端とを接続させたとする。この場合、選択されていない各コモン電極は、全てハイインピーダンス状態になる。すなわち、電圧ＶＣＨ出力端にも、ローレベル電圧出力端にも接続されない状態となる。また、選択行のコモン電極は、ローレベル電圧出力端に接続される。従って、コンデンサ８１は、いずれのコモン電極にも接続されない状態となる。この結果、コンデンサ８１から、ローレベルのセグメント電極に向けて電流が流れることがない。すなわち、図８（ｂ）に示す破線の方向に流れる電流は生じない。よって、コンデンサ８１には、図６（ａ）示す破線の方向にのみ電流が流れ、図８（ａ），（ｂ）に示すように二方向に電流が流れることはない。従って、コンデンサ８１が充電と放電を繰り返してしまい、僅かな変形を繰り返すこともない。その結果、コンデンサ８１が実装されるプリント基板等（図示せず。）の揺れも低減され、雑音が減少する。
【００７１】
また、以上の説明では、ローレベルの電位に設定されるセグメント電極が少なくとも一本存在する場合には、選択されていない各コモン電極を全てハイインピーダンス状態に設定し、全てのセグメント電極の電位がハイレベルになるときには、選択されていない各コモン電極の電位を全てハイレベルに設定するものとして説明した。全てのセグメント電極の電位がハイレベルになる場合であっても、あるコモン電極の選択期間中に、選択されていない各コモン電極を全てハイインピーダンス状態に設定してもよい。すなわち、セグメント電極の電位によらず、あるコモン電極の選択期間中に、選択されていない各コモン電極を全てハイインピーダンス状態に設定してもよい。
【産業上の利用可能性】
【００７２】
本発明は、有機ＥＬディスプレイ装置の駆動に適用可能である。
【図面の簡単な説明】
【００７３】
【図１】本発明の有機ＥＬ表示装置の駆動装置の構成例を示すブロック図。
【図２】セグメント電極ドライバが備える定電流回路が定電流を有機ＥＬ素子に流している状態を示す説明図。
【図３】セグメント電極ドライバがセグメント電極をローレベルに設定している状態を示す説明図。
【図４】ｐＭＯＳおよびｎＭＯＳを組み合わせたスイッチの説明図。
【図５】本発明の駆動装置によってコモン電極およびセグメント電極に設定される電位の駆動波形の例を示す説明図。
【図６】本発明により雑音を低減できる理由を示す説明図。
【図７】従来の駆動装置によってコモン電極およびセグメント電極に設定される電位の駆動波形を示す説明図。
【図８】雑音の発生の原因を説明する説明図。
【図９】積層セラミックコンデンサの説明図。
【符号の説明】
【００７４】
１  コントローラ
２  コモン電極ドライバ
３  出力制御回路
４  セグメント電極ドライバ
５  ディスプレイＲＡＭ
６  デコーダ
８  電源回路
４１  定電流回路
【図１】
2007094010.tif 000003
【図２】
2007094010.tif 000004
【図３】
2007094010.tif 000005
【図４】
2007094010.tif 000006
【図５】
2007094010.tif 000007
【図６】
2007094010.tif 000008
【図７】
2007094010.tif 000009
【図８】
2007094010.tif 000010
【図９】
2007094010.tif 000011